(57)【特許請求の範囲】
【請求項１】
長尺部材を井桁形状等の多角形形状に組み合わせ積み重ねた
ものの周囲または内外部に、貫通孔を形成した自然石、該自然石の貫通孔に挿通されて前記自然石を連結する連結部材及び該連結部材の両端に結合された鉤状部材または前記貫通孔の内径より大きい外形を有する係止部材とを具備し、且つ、各自然石の間に配置された間伐材を具備する水底沈設部材を配置したことを特徴とする人工漁礁。
【請求項２】
前記長尺部材が間伐材であることを特徴とする請求項１記載の人工漁礁。
【請求項３】
前記長尺部材が金属部材であることを特徴とする請求項１記
載の人工漁礁。
【請求項４】
前記間伐材の表面に金属板を固定したことを特徴とする請求項２記載の人工漁礁。
【請求項５】
長尺部材と、貫通孔を形成した自然石、該自然石の貫通孔に挿通されて前記自然石を連結する連結部材及び該連結部材の両端に結合された鉤状部材または前記貫通孔の内径より大きい外形を有する係止部材とを具備し、且つ、各自然石の間に配置された間伐材を具備する水底沈設部材とを用いて井桁形状等の多角形形状に組み合わせ積み重ねたことを特徴とする人工漁礁
【発明の詳細な説明】
【０００１】
【発明の属する技術分野】
本発明は、長尺部材や水底沈設部材を構成要素として、河川や海等の水底に沈設する人工魚礁に関するものである。
【０００２】
【従来の技術】
従来から、河川や海等の水底に人工的に隆起部を形成して魚介類の生息に適した環境とすることにより、魚介類を集め、漁場の造成や拡充を図るために人工魚礁が用いられる場合がある。このような人工魚礁としては、例えば、一定の形状に形成したコンクリートブロックを用いるものや、鋼材や古タイヤなどの廃材を一定の形状に組み立てたもの等がある。
【０００３】
しかしながら、上記のような従来のコンクリートブロックを用いた人工魚礁は、コンクリートの表面はアルカリ性が強く、また表面の凹凸も少ないために水草、海草、藻等が付着しにくく、貝類や小魚が集まりにくいために集魚効果が低いという問題がある。一方、廃材を用いた人工魚礁は、経年変化が激しく、また外観もあまり良くないという問題がある。更に、これらの人工魚礁は、重量も相当に重いものとなるので、運搬や設置が容易でなく、また一旦設置した後は移動が困難であるという問題もある。
【０００４】
【発明が解決しようとする課題】
本発明は上記課題に鑑みてなされたものであって、水草、海草、藻等が付着し易く集魚効果が高く、経年変化も少なく、なおかつ運搬、設置及び移動等が容易な人工魚礁を提供することを技術課題とするものである。
【０００５】
【課題を解決するための手段】
上記技術課題を解決するための具体的手段は、次のようなものである。すなわち、請求項１に記載する人工漁礁は、長尺部材を井桁形状等の多角形形状に組み合わせ積み重ねたものの周囲または内外部に、貫通孔を形成した自然石、該自然石の貫通孔に挿通されて前記自然石を連結する連結部材及び該連結部材の両端に結合された鉤状部材または前記貫通孔の内径より大きい外形を有する係止部材とを具備し、且つ、各自然石の間に配置された間伐材を具備する水底沈設部材を配置したことを特徴とするものである。
【０００６】
請求項２に記載する人工漁礁は、請求項１に記載する構成において、前記長尺部材が間伐材であることを特徴とするものである。
【０００７】
請求項３に記載する人工漁礁は、請求項１に記載する構成において、前記長尺部材が金属部材であることを特徴とするものである。
【０００８】
請求項４に記載する人工漁礁は、請求項２に記載する構成において、前記間伐材の表面に金属板を固定したことを特徴とするものである。
【０００９】
請求項５に記載する人工漁礁は、前記長尺部材と、貫通孔を形成した自然石、該自然石の貫通孔に挿通されて前記自然石を連結する連結部材及び該連結部材の両端に結合された鉤状部材または前記貫通孔の内径より大きい外形を有する係止部材とを具備し、且つ、各自然石の間に配置された間伐材を具備する水底沈設部材とを井桁形状等の多角形形状に組み合わせ積み重ねたことを特徴とするものである。
【００１１】
【発明の実施の形態】
まず、図１から図４に基づいて、本発明の実施形態に係る人工漁礁１を構成している水底沈設部材２について説明する。本発明の実施形態に係る人工漁礁１を構成している水底沈設部材２は、貫通孔３を形成した単数または複数の自然石４と、該自然石４の前記貫通孔３に挿通されて単数または複数の前記自然石４を連結する連結部材５と、該連結部材５の両端に結合された鉤状部材６とを有して構成される。
【００１２】
前記自然石４には、天然の岩石を使用する。該自然石４の大きさは、小さすぎる場合には水の流れに流され易くなり、大きすぎる場合には運搬、設置及び移動等が困難になることから、直径が約１０〜８０ｃｍ程度のものを使用するのと好適である。ただし、前記自然石４の大きさは必ずしもこれに限定されるものではなく、設置場所や用途等に合わせて適当な大きさを選択して使用することが可能である。
【００１３】
前記自然石４の形状については特に限定されることなく、様々な形状の岩石を使用することができる。なお、前記水底沈設部材２は、本発明の実施形態に係る人工魚礁１の一部分として用いるので、表面に凹凸が多い岩石の方が水草や海草等が付着し易くなり好適であるが、ここでは単数または複数の前記自然石４を連結した構成としており、隣接する前記自然石４同士の隙間等において必ず凹凸が形成されることになるので、この場合であっても表面に凹凸のない比較的滑らかな表面を有する岩石をも使用することができる。
【００１４】
前記水底沈設部材２の１個あたりに使用する前記自然石４の数量についても特に制約はなく、前記連結部材５の長さに応じて１個以上何個でも連結することが可能である。ただし、前記自然石４の数量が多すぎる場合は、前記自然石４の大きさが大きすぎる場合と同様、運搬、設置及び移動等が困難になるので、通常は２〜２０個程度とし、必要に応じて適宜複数個の前記水底沈設部材２を連結して使用すると好適である。このような前記水底沈設部材２同士の連結は、前記連結部材５の両端に結合された鉤状部材６を用いて容易に行なうことができるようになっている。
【００１５】
前記自然石４には、それぞれに前記貫通孔３が形成される。該貫通孔３は、前記連結部材５をその中に挿通するために設けられるものであり、当然に前記連結部材４の直径より大きい内径を有する。前記自然石４における前記貫通孔３が設けられる位置は、通常は前記自然石４の中心を通る位置とする。ただし、前記貫通孔３が設けられる位置は必ずしもこれに限定されるものではなく、前記自然石４の端部付近に形成することも可能である。
【００１６】
前記連結部材５は、前記自然石４の前記貫通孔３に挿通されて、単数または複数の前記自然石４を連結する部材である。前記連結部材５としては、前記自然石４の重量や前記自然石４との摩擦等によって破壊されることがない材質のものを使用し、例えば一定の直径を有する長尺の金属製の棒、特に、耐腐食性及び耐衝撃性等を考慮してステンレス棒を使用すると好適である。前記連結部材５の直径は、ある程度の弾力性を持たせ、なおかつ必要な強度を確保するため、１０〜３０ｍｍ程度とすると好適である。なお、前記連結部材５の直径はこれに限定されるものではなく、連結する前記自然石４の大きさや数量に応じて適当な直径とする。前記連結部材５の長さは、使用するすべての前記自然石４を連結した状態で、両端に前記鉤状部材６を結合することができる長さ以上の長さとする。ここで、前記連結部材５の長さを長めに設定することにより、前記水底沈設部材２を水底に配置する際に、前記自然石４同士の間隔を任意に広げて配置することが可能となる。この結果、隣り合う前記自然石４間の隙間が可変となるので、海水底に凹凸があるような場合であっても、その凹凸形状に沿って折曲することができ、安定して設置できる。
【００１７】
また、図５に示すように、前述の棒状の連結部材５に代えて可撓性の紐状の連結部材５を使用する場合もある。この場合には、前記連結部材５としては、前記自然石４の重量や前記自然石４との摩擦等によって切断されることがない材質のものを使用し、例えば金属製のワイヤー、鎖、綱等を使用することができ、特に、耐腐食性及び耐久性等を考慮してステンレスワイヤーを使用すると好適である。この紐状の連結部材５の直径は、使用する材質に応じて適宜必要な強度を確保することができる直径とする。さらに、図示しないが、上述のように紐状の連結部材５を使用する場合には、端部が輪状になるように折り返し、所定の留め具等により固定した構成等とすることも可能である。
【００１８】
前記連結部材５の両端には、前記鉤状部材６がそれぞれ結合される。該鉤状部材６は、前記連結部材５により連結された前記自然石４が前記連結部材５の端部から抜けることを防止するとともに、前記水底沈設部材２は本発明の実施形態に係る人工魚礁１の一部分として使用するので、前記水底沈設部材２同士を連結するために設けられるものである。前記鉤状部材６の形状は、相互に引掛けることができる形状とし、例えばＣ字形やコ字形等とする。前記鉤状部材６の材質は、耐腐食性等を考慮して例えばステンレス等を使用する。前記鉤状部材６と前記連結部材５との結合は、この結合が容易にはずれないような構造とする。ここでは、図３に示すように、前記連結部材５の両端に雄ねじを形成し、前記鉤状部材６の結合部７に雌ねじを形成して互いに螺合させることにより結合する構成としている。なお、前記鉤状部材６と前記連結部材５との結合方法はこれに限定されるものではなく、例えば溶接やボルト・ナットを用いた締結等のように他の方法により結合することも可能である。
【００１９】
また、図６に示すように、前記鉤状部材６に代えて前記自然石４の前記貫通孔３の内径より大きい外形を有する係止部材８を前記連結部材５の両端に結合する場合もある。前記係止部材８は、前記鉤状部材６を設けない場合においても前記自然石４が前記連結部材５の端部から抜けることを防止するために設けられるものである。したがって、前記係止部材８の形状及び材質は特に限定されることなく、前記連結部材５の長さ方向と直交する方向に前記自然石４の前記貫通孔３の内径より大きい外形を有する形状のものであれば様々な形状及び材質とすることが可能である。ここでは、一例として前記連結部材５の両端に形成した雄ねじに２個の金属製のナットを螺合した構成としている。なお、前記係止部材８は、前記鉤状部材６と同様、溶接等の他の方法により結合することも可能である。
【００２０】
さらに、図７、図８に示すように、前記水底沈設部材２は、該水底沈設部材２を構成している各自然石４の間に間置間伐材９が配置されている。該間置間伐材９は、前記自然石４同士の間隔を一定に保つために前記自然石３の間に配置される部材であり、前記自然石４を連結する前記連結部材５の直径よりも大きい内径を有する間伐材の部材を使用する。前記間置間伐材９の長さについては特に制限はないが、通常は前記自然石４の直径の半分から２倍程度の長さとする。また、前記間置間伐材９の数量についても特に制限はなく、該間置間伐材９の配置構成についても特に制限はないが、ここでは、前記自然石４と前記間置間伐材９とが交互に配置している。
【００２１】
次に、本発明の実施形態に係る人工魚礁１について図９乃至１４に基づいて説明する。この人工魚礁１は、長尺部材を井桁形状等の多角形形状に組み合わせ積み重ねたものの周囲または内外部に、上述に記載した水底沈設部材２を配置して水底に沈設したもの、または前記長尺部材と前記水底沈設部材とを井桁形状等の多角形形状に組み合わせ積み重ねて水底に沈設したものである。
【００２２】
本発明の第１の実施形態に係る人工漁礁１は、主に河川や海において好適に使用されるものであって、図９に示すように、単独の前記水底沈設部材２または長さ方向に複数個連結した前記水底沈設部材２を、間伐材１０を井桁形状に組み合わせ、それらを長尺なボルトやナット等の連結具１１で連結して積み重ねた木枠１２の周囲または内外部に配置して水底に沈設したものである。この際、前記木枠１２の周囲または内外部に配置された前記水底沈設部材２の前記鉤状部材６の両端または他端は、河川及び海の底に固定していても良い。
【００２３】
前記間伐材１０については特に制限はないが、軽すぎる、または小さすぎると前記木枠１２が海水面に浮上する恐れがあり、また、重すぎる、または大きすぎると前記木枠１２の運搬、設置、移動等が困難になる恐れがあることから、長手方向が約１ｍ〜４ｍ程度のものを使用すると好適である。ただし、前記間伐材１０については必ずしもこれに限定されるものではなく、設置場所、用途及び本実施の形態の人工漁礁１を構成している前記水底沈設部材２の大きさや重さ等を考慮して、前記人工漁礁１が海水面に浮上することなく、また運搬、設置及び移動等が困難にならない程度の適当な大きさや重さ等を選択して使用することが可能である。また、本実施の形態に係る人工漁礁１は、前記間伐材１０以外の長尺部材を用いても良い。さらに、前記水底沈設部材２は図９に示すように、前記木枠１２を構成する前記間伐材１０の間を通って挿入すれば、前記木枠１２の浮き上がり防止の役割を兼ねて、この人工漁礁１を配置できる。このような配置は種々選択できる。
【００２４】
前記木枠１２の周囲または内外部に配置される水底沈設部材２の位置や数量については特に制限はなく、前記木枠１２を構成している前記間伐材１０の数量についても特に制限はない。また、前記間伐材１０を井桁状に組み上げ、それらを積み重ねる数量についても特に制限はなく、それらを積み重ねた前記木枠１２の運搬、設置、移動等や河川や海の形状等によって適宜積み重ねれば良い。さらに、前記間伐材１０を連結している前記連結具１１は、これに制限されることはなく、たとえば、ビス、ネジ、釘、接着剤等の固着手段を用いても良い。
【００２５】
上述の構成において、前記木枠１２は、比較的表面の凹凸が少ないために、藻は付着しやすいが、水草や海草等が付着しにくく、貝類や小魚が集まりにくいが、このように、前記木枠１２の内外部及び周辺部に、前記水底沈設部材２を配置することにより、本実施の形態に係る人工漁礁１に多くの凹凸部が形成される。その結果、前記自然石４に豊富な水草や海草等が付着し、貝類や小魚の生息に適した環境とすることができ、大型の魚も集まって来やすくなるので、本実施の形態に係る人工漁礁１の魚集効果を高めることができる。
【００２６】
次に、本発明の第２の実施形態に係る人工漁礁１について説明する。この人工漁礁１は、主に河川や海において好適に使用されるものであって、図示していないが、前記木枠１２を構成している前記間伐材１０に代えて、金属部材を井桁形状に組み合わせ、それらを前記連結具１１で連結して積み重ねた金属枠の周囲または内外部に、単数または長さ方向に複数個連結した前記水底沈設部材２を配置して水底に沈設したものである。前記金属部材は、前記水底沈設部材２との摩擦等によって破壊されることがない材質のものを使用し、特に、耐腐食性及び耐衝撃性等を考慮してステンレス製のものを使用すると好適である。また、前記金属部材の大きさは特に制限はないが、前記金属枠の運搬、設置、移動等が困難になる恐れがあることから、長手方向が約１ｍ〜４ｍ程度のものを使用すると好適である。以上、本実施形態に係る人工漁礁１は、前記第１の実施形態に係る人工漁礁１の前記間伐材１０を前記金属部材に代えたものであり、したがって、その他の部分については、前記第１の実施形態に係る人工漁礁１と同様であるので説明を省略する。
【００２７】
上述の構成において、前記金属枠は、比較的表面の凹凸が少なく、金属製のために藻、水草や海草等が付着しにくく、貝類や小魚が集まりにくいが、このように、前記金属枠の内外部または周辺部に、前記水底沈設部材２を配置することにより、本実施の形態に係る人工漁礁１に多くの凹凸部が形成される。その結果、前記自然石４に豊富な藻や海草等が付着し、貝類や小魚の生息に適した環境とすることができ、大型の魚も集まって来やすくなるので、本実施の形態に係る人工漁礁１の魚集効果を高めることができる。さらに、この人工漁礁１は、金属部材を構成要素としているので、耐腐食性及び耐衝撃性等に優れており、経年変化が少ないために長期間使用することが可能である。
【００２８】
次に、本発明の第３の実施形態に係る人工魚礁１について説明する。この人工漁礁１も、主に河川や海において好適に使用されるものであって、図１０、図１１に示すように、単独の前記水底沈設部材２または長さ方向に複数個連結した前記水底沈設部材２を、前記間伐材１０に金属板１３をビス１４で任意の一面または複数面に１個または複数個固定した金属板付き間伐材１５を井桁形状に組み合わせ、それらを前記連結具１１で連結して積み重ねた金属板付き木枠１６の周囲または内外部に配置して水底に沈設したものである。つまり、この人工漁礁１は、本発明の第１の実施形態に係る人工漁礁１を構成している前記木枠１２を前記金属板付き木枠１６に代えたものである。したがって、この人工漁礁１は、前記金属板１３を前記間伐材１０に固定することで該間伐材１０の浮力を低減でき、例えば、前記連結具１１が腐食して破損しても、この人工漁礁１は、海水面に浮かび上がらない効果を有している。また、前記間伐材１０の強度を向上させることができる。
【００２９】
前記金属板１３としては、前記自然石４の重量や該自然石４との摩擦によって破壊されることがないものを使用し、例えば一定の長さを有する長尺の鉄板、特に、耐腐食性及び耐衝撃性を考慮して、ステンレス板を使用すると好適である。前記金属板１３の大きさや数量は特に制限はないが、前記間伐材１０と同程度よりやや小さめの大きさが好適である。また、前記金属板１３を前記間伐材１０に固定している前記ビス１４は、これに制限されることはなく、たとえば、ネジ、釘、接着剤等の固着手段を用いても良い。なお、その他の部分については、前記第１の実施形態に係る人工漁礁１と同様である。したがって、前記水底沈設部材２の位置や数量については特に制限はない。
【００３０】
また、この人工漁礁１は、図１２に示すように、単独の前記水底沈設部材２または長さ方向に複数個連結した前記水底沈設部材２を、前記金属板付き木枠１６の前記金属板１３に連結して水底に沈設したものでも良い。この際、前記金属板付き木枠１６に連結される前記水底沈設部材２の位置や数量については特に制限はないが、重量等を考慮して、前記金属板１３の１枚あたりに連結される前記水底沈設部材２の数量は、１個から３個が好適である。
【００３１】
前記金属板１３と前記水底沈設部材２との連結手段は特に制限はないが、相互に引っ掛けることができるものとする。ここでは、図１３に示すように、レーザー等で、前記金属板１３の任意の箇所において、任意の大きさの長方形となる３辺を切断し、残る１辺を軸として折り曲げてフックを作り、そのフックに前記水底沈設部材２の他端の鉤状部材６を引っ掛けて、再び反対側に折り返してフックと前記水底沈設部材２が外れないように、前記金属板１３に前記水底沈設部材２がぶら下がっているように相互を連結した。また、ここでは、前記水底沈設部材２を前記金属板１３に連結したが、前記木枠１２、前記金属枠及び前記金属板付き木枠１６を構成している前記間伐材１０または前記金属部材に連結しても良い。なお、その他の部分については、前記第１の実施形態に係る人工漁礁１と同様である。
【００３２】
上述の構成において、前記金属板付き木枠１６は、比較的表面の凹凸が少なく、前記金属板１３を構成要素としているので、前記金属板付き木枠１６には水草や海草等が付着しにくく、貝類や小魚が集まりにくいが、このように、前記金属板付き木枠１６の内外部または周辺部に、前記水底沈設部材２を配置することにより、本実施の形態に係る人工漁礁１に多くの凹凸部が形成される。その結果、前記自然石４に豊富な藻や海草等が付着し、貝類や小魚の生息に適した環境とすることができ、大型の魚も集まって来やすくなるので、本実施の形態に係る人工漁礁１の魚集効果を高めることができる。
【００３３】
次に、本発明の第４の実施形態に係る人工漁礁１について説明する。この人工漁礁１も、主に河川や海において好適に使用されるものであって、図１４に示すように、単独の前記水底沈設部材２または長さ方向に複数個連結した前記水底沈設部材２と、それらとは垂直方向に配置した単独または複数の前記間伐材１０とを井桁形状に組み合わせ、それらを前記連結具１１で連結して積み重ねて水底に沈設したものである。ここでは、長尺部材に前記間伐材１０を使用しているが、これに限定されるものではなく、例えば前記金属部材であっても良い。さらに、ここでは、前記水底沈設部材２と長尺部材である前記間伐材１０との組み合わせ角度は、９０度としているが、これに限定されるものではなく、例えば４５度であっても良い。また、前記水底沈設部材２は、前記自然石４の間に貫通孔を形成した前記間置間伐材９を、前記自然石４と交互に配置している構成であるが、無作為に前記間置間伐材９を配置しても良い。また、前記水底沈設部材２と前記間伐材１０との連結手段は特に制限はないが、ここでは、前記間置間伐材９と前記間伐材１０とを前記連結具１１にて連結している。また、前記間伐材１０に代えて、前記金属部材及び前記金属板付き間伐材１５を使用しても良い。つまり、この人工漁礁１は、前記木枠１２、前記金属枠及び前記金属板付き木枠１６を構成している前記間伐材１０、前記金属部材または前記金属板付き間伐材１５の一部分を前記水底沈設部材２に置き代えている構成を有しているのである。
【００３４】
前記間置間伐材９については特に制限はないが、前記自然石４と同等な大きさが好適であり、前記間置間伐材９の数量も該間置間伐材９と前記自然石４との間隔も特に制限はない。また、ここでは前記連結部材５の両端には前記係止部材８を用いて、前記自然石４及び前記間置間伐材９が前記連結部材５の端部から抜けることを防止しているが、前記係止部材８は、前記鉤状部材６でも良い。
【００３５】
上述の構成において、前記間伐材１０は、比較的表面の凹凸が少ないために水草や海草等が付着しにくく、貝類や小魚が集まりにくいが、このように、前記間伐材１０と前記水底沈設部材２を配置することにより、本実施の形態に係る人工漁礁１に多くの凹凸部が形成される。その結果、前記自然石４に豊富な藻や海草等が付着し、貝類や小魚の生息に適した環境とすることができ、大型の魚も集まって来やすくなるので、本実施の形態に係る人工漁礁１の魚集効果を高めることができる。また、前記間伐材１０と前記水底沈設部材２を組み合わせて積み重ねているので、小型化、軽量化等に優れており、浅く狭い海水底等でも容易に設置できる。さらに、本実施の形態に係る人工漁礁１を設置する海水底に凹凸がある場合においても、前記水底沈設部材２を構成する前記連結部材５がある程度の弾力性を具備しているので、海水底の凹凸に応じてこの人工漁礁１全体が折曲する。したがって、安定して本実施の形態に係る人工漁礁１を設置することができる。
【００３６】
以上、本発明の第１、２、３、４、及び５の実施形態に係る人工漁礁１について説明したが、いずれも前記間伐材１０、前記金属部材及び前記金属板１３のうちの少なくとも１種以上と前記水底沈設部材２とを用いて構成された人工漁礁１であれば、どのように構成されていても良い。
【００３７】
【発明の効果】
本発明の効果を整理すると次の通りである。本発明の請求項１に係る人工漁礁によれば、長尺部材を多角形形状に組み合わせ積み重ねた構成を有しているので、設置する海水中の環境に合わせて、井桁形状や三角形状等の必要な形状に組み合わせ、その上部に積み重ねる段数も必要に応じて適宜積み重ねることができるため、必要な任意の形状の人工漁礁を安易に成形することができる。また、各構成要素は、比較的安価で重量も軽いので、運搬、設置及び移動等も容易に行なうことができる。さらに、自然石の表面や自然石間に多数の凹凸が形成されて水草、海草、藻等が付着し易いために集魚効果が高いものとすることができ、河川や海の水底に沈設した場合であっても景観を損なうことがない。加えて、各自然石の間に間伐材を配置して各自然石同士の間隔を一定に保つことができる水底沈設部材を人工漁礁の構成要素としているので、水底沈設部材の長さや形状の調節が容易に行うことができ、したがって、人工漁礁の大きさや形状も容易に調節することができる。さらに、間伐材は藻が付着しやすいので、水草や海草が付着しやすい自然石と交互に配置されることにより、水底沈設部材の全体としては水草や海草と藻の両方が好適に付着することとなるので、様々な魚介類を集めることができる人工漁礁が容易に設置することができる。
【００３８】
本発明の請求項２に係る人工漁礁によれば、上述した本発明の請求項１に係る人工漁礁の効果に加えて、間伐材を構成要素としているので、原材料が安価で重量も比較的軽く、加工性も良いので、容易に様々な人工漁礁を製作できる。また、従来のコンクリート製や金属製に比べて藻が付着しやすいので、漁礁により適したものとなる。
【００３９】
本発明の請求項３に係る人工漁礁によれば、上述した本発明の請求項１に係る人工漁礁の効果に加えて、金属部材を人工漁礁の構成要素としているので、耐腐食性及び耐衝撃性等に優れており、経年変化が少ないために長期間使用することが可能である。
【００４０】
本発明の請求項４に係る人工漁礁によれば、上述した本発明の請求項１に係る人工漁礁の効果に加えて、金属板を人工漁礁の構成要素としているので、人工漁礁を構成している間伐材の浮力を低減でき、したがって、間伐材や金属板付き間伐材を連結しているビス等が腐食しても、人工漁礁が海水面に浮上しない効果がある。
【００４１】
本発明の請求項５に係る人工漁礁によれば、上述した本発明の請求項１、２、３及び４に係る人工漁礁の効果に加えて、長尺部材と水底沈設部材を井桁形状に等の多角形形状に組み合わせ積み重ねているので、小型化、軽量化等に優れており、浅く狭い海水底等でも容易に設置できる。また、水底沈設部材を構成する連結部材がある程度の弾力性を具備しているので、海水底に凹凸があった場合でもそれに応じて人工漁礁全体が折曲するため、海水底に順応して安定に設置できる。
【００４２】
本発明の請求項６に係る人工漁礁によれば、上述した本発明の請求項１、２、３、４及び５に係る人工漁礁の効果に加えて、各自然石の間に間伐材を配置して各自然石同士の間隔を一定に保つことができる水底沈設部材を人工漁礁の構成要素としているので、水底沈設部材の長さや形状の調節が容易に行うことができ、したがって、人工漁礁の大きさや形状も容易に調節することができる。さらに、間伐材は藻が付着しやすいので、水草や海草が付着しやすい自然石と交互に配置されることにより、水底沈設部材の全体としては水草や海草と藻の両方が好適に付着することとなるので、様々な魚介類を集めることができる人工漁礁が容易に設置することができる。
【図面の簡単な説明】
【図１】複数の自然石を用いた水底沈設部材を示す平面図。
【図２】図１の断面図。
【図３】単数の自然石を用いた水底沈設部材を示す平面図。
【図４】図３の断面図。
【図５】可撓性の紐状の連結部材を使用した水底沈設部材の断面図。
【図６】係止部材を使用した水底沈設部材の断面図。
【図７】各自然石間に間置間伐材を配置した水底沈設部材の平面図。
【図８】図７の断面図。
【図９】間伐材を組み上げた井桁形状の木枠内外に水底沈設部材を組み込んだ人工漁礁
の平面図（Ａ）、右側面図（Ｂ）、正面図（Ｃ）。
【図１０】間伐材と金属板を用いて組み上げた井桁形状の金属板付き木枠内外に水底沈設
部材を組み込んだ人工漁礁の平面図（Ａ）、右側面図（Ｂ）、正面図（Ｃ）。
【図１１】間伐材と金属板の連結部分の拡大断面図。
【図１２】金属板付き木枠の金属板に水底沈設部材を連結した人工漁礁の平面図（Ａ）、
右側面図（Ｂ）、正面図（Ｃ）。
【図１３】金属板付き木枠の金属板と水底沈設部材の連結部分の拡大平面図。
【図１４】水底沈設部材をそれらとは垂直方向に配置した間伐材に連結して井桁状状に組
み上げた人工漁礁の平面図（Ａ）、右側面図（Ｂ）、正面図（Ｃ）。
【符号の説明】
１    人工漁礁
２    水底沈設部材
３    貫通孔
４    自然石
５    連結部材
６    鉤状部材
８    係止部材
９    間置間伐材
１０  間伐材
１３  金属板
【図１】
0003577639.tif 000002
【図２】
0003577639.tif 000003
【図３】
0003577639.tif 000004
【図４】
0003577639.tif 000005
【図５】
0003577639.tif 000006
【図６】
0003577639.tif 000007
【図７】
0003577639.tif 000008
【図８】
0003577639.tif 000009
【図９】
0003577639.tif 000010
【図１０】
0003577639.tif 000011
【図１１】
0003577639.tif 000012
【図１２】
0003577639.tif 000013
【図１３】
0003577639.tif 000014
【図１４】
0003577639.tif 000015